(57)【要約】【課題】本発明は、静止画とこれに対応する音声または文字情報のバーコード画像を１枚の印刷物として同時に印刷させることができるデジタルカメラを提供することを目的とする。【解決手段】入力された音声信号もしくは文字信号を符号化し、その符号データをバーコードで表すバーコード画像データに変換する変換部２０〜２６と、画像信号をデジタル化した被写体画像データが書込まれ、変換部２０〜２６の出力するバーコード画像データが書込まれる画像メモリ１６を有し、画像メモリ１６からフレーム単位で読出した被写体画像データとバーコード画像データをプリンタ３０で印刷することにより、静止画とこれに対応する音声または文字情報のバーコード画像を１枚の印刷物として同時に印刷させることができる。【選択図】　　　　図１
2004096307.tif 000002
【特許請求の範囲】
【請求項１】
被写体画像を光電変換して画像信号を出力する撮像素子と、
入力された音声信号もしくは文字信号を符号化し、その符号データをバーコードで表すバーコード画像データに変換する変換部と、
前記画像信号をデジタル化した被写体画像データが書込まれ、前記変換部の出力するバーコード画像データが書込まれる画像メモリを有し、
前記画像メモリからフレーム単位で読出した被写体画像データとバーコード画像データをプリンタで印刷することを特徴とするデジタルカメラ。
【請求項２】
前記画像メモリは、フレーム単位で被写体領域とバーコード領域が設けられており、前記被写体領域に書込まれた被写体画像データと前記バーコード領域に書込まれたバーコード画像データを、１つの画像データに合成して印刷することを特徴とする請求項１に記載のデジタルカメラ。
【発明の詳細な説明】
【０００１】
【発明の属する技術分野】
本発明はデジタルカメラに関し、特に、映像情報と共に音声または文字情報を出力するデジタルカメラに関する。
【０００２】
【従来の技術】
デジタルビデオカメラは、磁気テープに動画情報と音声情報を記録再生している。しかし、従来のデジタルカメラは、半導体メモリに静止画情報（又は動画情報）を記録再生しているものの、音声情報を記録するものはない。
【０００３】
また、音声情報を取り込んで符号化し、この音声符号化情報をバーコードとしてラベルに印刷し、更に、このラベルからバーコードを読み取って音声を再生するバーコード音声記録再生装置がある。
【０００４】
【発明が解決しようとする課題】
従来のデジタルカメラは半導体メモリに静止画情報（又は動画情報）を記録再生するだけであるため、デジタルカメラから読み出した静止画情報をプリンタでプリントアウトした場合、撮影時のコメントなどの音声情報をプリントアウトした写真と共に保存できないという問題があった。
【０００５】
また、従来のバーコード音声記録再生装置を用いて、撮影時のコメントなどの音声情報をラベルに印刷し、上記のプリントアウトした写真に貼り付けて保存することが考えられる。しかし、この場合は、デジタルカメラの撮影時にバーコード音声記録再生装置を用意しておかなければならず、また、静止画と音声との対応付けが難しいという問題があった。
【０００６】
本発明は、上記の点に鑑みなされたもので、静止画とこれに対応する音声または文字情報のバーコード画像を１枚の印刷物として同時に印刷させることができるデジタルカメラを提供することを目的とする。
【０００７】
【課題を解決するための手段】
請求項１に記載の発明は、被写体画像を光電変換して画像信号を出力する撮像素子（１０）と、
入力された音声信号もしくは文字信号を符号化し、その符号データをバーコードで表すバーコード画像データに変換する変換部（２０〜２６）と、
前記画像信号をデジタル化した被写体画像データが書込まれ、前記変換部（２０〜２６）の出力するバーコード画像データが書込まれる画像メモリ（１６）を有し、
前記画像メモリ（１６）からフレーム単位で読出した被写体画像データとバーコード画像データをプリンタ（３０）で印刷することにより、
静止画とこれに対応する音声または文字情報のバーコード画像を１枚の印刷物として同時に印刷させることができ、この印刷物のバーコード画像を読み取ることで撮影時のコメントなどの音声メモまたは文字メモを再生することができる。
【０００８】
なお、上記括弧内の参照符号は、理解を容易にするために付したものであり、一例にすぎず、図示の態様に限定されるものではない。
【０００９】
【発明の実施の形態】
図１、本発明のデジタルカメラの一実施例のブロック構成図を示す。
【００１０】
同図中、光学系１０を通して入射される光は撮像素子１２に導かれ、撮像素子１２上に被写体画像が結像される。なお、光学系１０には絞り機構及びシャッタ機構が設けられている。撮像素子１２は被写体画像を光電変換して画像信号を出力する。この画像信号はＡＤ変換器１４でデジタル化され、被写体画像データとして画像メモリ１６の被写体領域に書込まれて記憶される。図２（Ａ）に被写体画像データのイメージを示す。
【００１１】
画像メモリ１６は、フレーム単位で画像を記憶するもので、図３に示すように、フレーム毎に被写体領域とバーコード領域が設けられている。どのフレームの書込み／読出しを行うかは画像メモリ１６の書込みポインタ／読出しポインタで指示され、制御部１８によって書込みと読出しの制御を行われる。なお、制御部１８は、端子１９からシャッタスイッチやマイクスイッチの操作信号を供給されており、デジタルカメラ全体の制御を行っている。
【００１２】
一方、マイクロホン２０で集音された音声信号はＡＤ変換器２２でデジタル化されて符号化部２４に供給される。符号化部２４ではデジタル音声を符号化し、得られた符号データをバーコード発生部２６に供給する。
【００１３】
バーコード発生部２６は、供給された符号データをバーコードとして表すバーコード画像データを発生する。このバーコード画像データは制御部１８の制御で画像メモリ１６のバーコード領域に書込まれて記憶される。図２（Ｂ）にバーコード画像データのイメージを示す。
【００１４】
制御部１８は、ユーザの操作に応じ、画像メモリ１６の読出しポインタで指示されているフレームの画像データを読出して、出力端子２８から外部のプリンタ３０に供給する。プリンタ３０は供給されるフレームの画像データをプリントアウトする。
【００１５】
なお、マイクロホン２０〜符号化部２４の代わりに、文字入力装置をデジタルカメラに外付けもしくは内蔵させておき、文字入力装置で入力した文字信号（即ち文字コード）をバーコード発生部２６に供給し、文字信号をバーコードとして表すバーコード画像データを発生する構成としても良い。
【００１６】
図４は、プリントアウトされる印刷物を示す。図４においては、印刷物４０の表面中央位置に静止画４２が印刷され、その下部にバーコード画像４４が静止画の一部として印刷されている。しかし、これに限らず、例えば静止画４２の上部にバーコード画像４４を印刷するものであっても良い。これは、画像メモリ１６における被写体領域とバーコード領域と設定を変更するだけで対応できる。
【００１７】
更に、図５に示すように、印刷物４０の表面の中央位置に静止画４２を印刷し、印刷物４０の裏面にバーコード画像４６を印刷する構成としても良い。但し、バーコード画像４６を静止画４２と切り離して印刷するためには、プリンタ３０にそのための機能が必要である。しかし、図４のように、静止画４２とバーコード画像４４を連続して印刷する場合はプリンタ３０に一般のプリンタを使用することができる。
【００１８】
このように、静止画４２とこれに対応するバーコード画像４４又は４６を１枚の印刷物４０として同時に印刷するため、バーコード画像４４又は４６を図示しないバーコードリーダで読み取ることにより、静止画４０に対応する撮影時のコメントなどの音声メモまたは文字メモを再生することができる。
【００１９】
【発明の効果】
上述の如く、被写体画像を光電変換して画像信号を出力する撮像素子と、入力された音声信号もしくは文字信号を符号化し、その符号データをバーコードで表すバーコード画像データに変換する変換部と、前記画像信号をデジタル化した被写体画像データが書込まれ、前記変換部の出力するバーコード画像データが書込まれる画像メモリを有し、画像メモリからフレーム単位で読出した被写体画像データとバーコード画像データをプリンタで印刷することにより、静止画とこれに対応するバーコード画像を１枚の印刷物として同時に印刷させることができ、この印刷物のバーコード画像を読み取ることで撮影時のコメントなどの音声メモまたは文字メモを再生することができる。
【図面の簡単な説明】
【図１】本発明のデジタルカメラの一実施例のブロック構成図である。
【図２】被写体画像データとバーコード画像データのイメージを示す図である。
【図３】画像メモリの構成を示す図である。
【図４】プリントアウトされる印刷物を示す図である。
【図５】プリントアウトされる印刷物を示す図である。
【符号の説明】
１０　光学系
１２　撮像素子
１４　ＡＤ変換器
１６　画像メモリ
１８　制御部
２０　マイクロホン
２２　ＡＤ変換器
２４　符号化部
２６　バーコード発生部
２８　出力端子
３０　プリンタ
４０　印刷物
４２　静止画
４４，４６　バーコード画像
【図１】
2004096307.tif 000003
【図２】
2004096307.tif 000004
【図３】
2004096307.tif 000005
【図４】
2004096307.tif 000006
【図５】
2004096307.tif 000007